【手続補正書】
【提出日】平成19年7月4日(2007.7.4)
【手続補正１】
【補正対象書類名】特許請求の範囲
【補正対象項目名】全文
【補正方法】変更
【補正の内容】
【特許請求の範囲】
【請求項１】
第１の解像度を有する複数の低解像度画像から、前記第１の解像度より高解像度の高解像度画像を生成する静止画像生成装置であって、
前記複数の低解像度画像間の、画像を構成する画素位置のずれを表す位置ずれを補正する補正量を推定する補正量推定部と、
前記推定した前記補正量に基づいて前記複数の低解像度画像間の前記位置ずれを補正し、前記補正した前記複数の低解像度画像を合成して前記高解像度画像を生成する画像生成部と、を備え、
前記画像生成部は、
前記高解像度画像を構成する画素から注目画素を選択し、
前記複数の低解像度画像それぞれにおける前記注目画素に対する複数の最近傍画素を求め、
前記複数の低解像度画像のうち、前記注目画素について合成対象となる合成対象画像を前記複数の最近傍画素に基づいて導き出し、前記合成対象画像に基づいて前記注目画素の画素値を算出し、
前記合成対象画像に基づいて、前記複数の最近傍画素のうち、前記複数の低解像度画像から選択された基準画像に対して、動きがあると判定される画素を含む低解像度画像を、前記注目画素についての前記合成対象画像から除外して前記注目画素の画素値を算出することによって前記高解像度画像を生成する、
ことを特徴とする、静止画像生成装置。
【請求項２】
前記複数の低解像度画像は、動画像の中から取得された時系列に並ぶ複数の画像である請求項１記載の静止画像生成装置。
【請求項３】
請求項１または請求項２記載の静止画像生成装置であって、
前記画像生成部は、
前記複数の最近傍画素のうち、前記基準画像に含まれない画素を、前記注目画素に近い順で選択し、前記選択した画素の前記基準画像に対する動きを判定し、
前記複数の最近傍画素のうち、前記注目画素との距離が最小となる最短画素を含む前記低解像度画像が前記基準画像である場合には、前記基準画像に基づいて前記注目画素の画素値を算出し、
前記動きの判定において、前記選択した画素に動きがないと判定された場合には、その判定された画素を含む前記低解像度画像に基づいて前記注目画素の画素値を算出し、
前記動きの判定において、前記選択した画素のいずれについても動きがあると判定された場合には、前記基準画像に基づいて前記注目画素の画素値を算出する、静止画像生成装置。
【請求項４】
請求項１または請求項２記載の静止画像生成装置であって、
前記画像生成部は、
前記複数の最近傍画素のうち、前記基準画像に含まれない画素を、所定の順に選択し、前記選択した画素の前記基準画像に対する動きを判定し、
前記動きの判定において、前記選択した画素に動きがあると判定された場合には、前記基準画像に基づいて前記注目画素の画素値を算出し、
前記動きの判定において、前記選択した画素のいずれについても動きがないと判定された場合には、前記複数の最近傍画素のうち、前記注目画素に最も近い最短画素を含む前記低解像度画像に基づいて前記注目画素の画素値を算出する、静止画像生成装置。
【請求項５】
請求項１または請求項２記載の静止画像生成装置であって、
前記画像生成部は、
前記複数の最近傍画素のうち、前記基準画像を除く特定の低解像度画像に含まれる画素を選択して、前記基準画像に対する動きを判定し、
前記動きの判定において、前記選択した画素に動きがあると判定された場合には、前記基準画像に基づいて前記注目画素の画素値を算出し、
前記動きの判定において、前記選択した画素に動きがないと判定された場合には、前記複数の最近傍画素のうち、前記注目画素に最も近い最短画素を含む前記特定の低解像度画像に基づいて前記注目画素の画素値を算出する、静止画像生成装置。
【請求項６】
請求項３ないし請求項５のいずれかに記載の静止画像生成装置であって、
前記動きの判定は、
前記選択した画素の輝度値が、前記基準画像の中で前記選択した画素を囲む複数の画素の輝度値に基づいて生成される推定輝度値に対して、所定の範囲内にある場合には動きがないと判定し、前記所定の範囲外にある場合には動きがあると判定する、静止画像生成装置。
【請求項７】
前記所定の範囲は、前記推定輝度値を中心として設定される一定の範囲である請求項６記載の静止画像生成装置。
【請求項８】
前記一定の範囲は、前記選択した画素を含む前記低解像度画像の前記基準画像に対する時間差に応じて変化する請求項７記載の静止画像生成装置。
【請求項９】
前記所定の範囲は、前記基準画像の中で前記選択した画素を囲む複数の画素の輝度値のうち、最小の輝度値から最大の輝度値までの範囲を含む一定の範囲である請求項６記載の静止画像生成装置。
【請求項１０】
前記所定の範囲は、前記選択した画素の、前記基準画像の中で前記選択した画素を囲む複数の画素に対する位置に依存して変化する範囲である請求項６記載の静止画像生成装置。
【請求項１１】
請求項３ないし請求項５のいずれかに記載の静止画像生成装置であって、
前記動きの判定は、
前記基準画像の中で前記選択した画素を囲む複数の画素の輝度値に基づいて生成される輝度値が、前記選択した画素の輝度値に等しくなる画素の推定位置を求め、前記求めた前記推定位置と前記選択した画素の位置との距離が、所定の範囲内にある場合には動きがないと判定し、前記所定の範囲外にある場合には動きがあると判定する、静止画像生成装置。
【請求項１２】
前記所定の範囲は、前記位置ずれによって変化しうる前記推定位置の変化量を閾値として設定し、前記推定位置を中心として設定される一定の範囲である請求項１１記載の静止画像生成装置。
【請求項１３】
第１の解像度を有する複数の低解像度画像から、前記第１の解像度より高解像度の高解像度画像を生成する静止画像生成方法であって、
前記複数の低解像度画像間の、画像を構成する画素位置のずれを表す位置ずれを補正する補正量を推定する工程と、
前記推定した前記補正量に基づいて前記複数の低解像度画像間の前記位置ずれを補正する工程と、
前記補正した前記複数の低解像度画像を合成して前記高解像度画像を生成する工程と、を含み、
前記高解像度画像を生成する工程は、
前記高解像度画像を構成する画素から注目画素を選択する工程と、
前記複数の低解像度画像それぞれにおける前記注目画素に対する複数の最近傍画素を求める工程と、
前記複数の低解像度画像のうち、前記注目画素について合成対象となる合成対象画像を前記複数の最近傍画素に基づいて導き出す工程と、
前記合成対象画像に基づいて、前記複数の最近傍画素のうち、前記複数の低解像度画像から選択された基準画像に対して、動きがあると判定された画素を含む前記低解像度画像を、前記注目画素についての前記合成対象画像から除外して前記注目画素の画素値を算出する工程と、
を含むことによって前記高解像度画像を生成することを特徴とする、静止画像生成方法。
【請求項１４】
第１の解像度を有する複数の低解像度画像から、前記第１の解像度より高解像度の高解像度画像を生成する静止画像生成プログラムであって、
前記複数の低解像度画像間の、画像を構成する画素位置のずれを表す位置ずれを補正する補正量を推定する機能と、
前記推定した前記補正量に基づいて前記複数の低解像度画像間の前記位置ずれを補正する機能と、
前記補正した前記複数の低解像度画像を合成して前記高解像度画像を生成する機能と、をコンピュータに実現させるための静止画像生成プログラムであり、
前記高解像度画像を生成する機能は、
前記高解像度画像を構成する画素から注目画素を選択する機能と、
前記複数の低解像度画像それぞれにおける前記注目画素に対する複数の最近傍画素を求める機能と、
前記複数の低解像度画像のうち、前記注目画素について合成対象となる合成対象画像を前記複数の最近傍画素に基づいて導き出す機能と、
前記合成対象画像に基づいて、前記複数の最近傍画素のうち、前記複数の低解像度画像から選択された基準画像に対して、動きがあると判定された画素を含む前記低解像度画像を、前記注目画素についての前記合成対象画像から除外して前記注目画素の画素値を算出する機能と、
を含むことによって前記高解像度画像を生成することを特徴とする静止画像生成プログラム。